(57)【要約】【課題】携帯情報端末を利用することにより、低コスト化・省スペース化を図るとともに、ユーザ認証などの手間を簡略化し、分散している分析データを分析者用コンピュータで管理・解析が可能な分析システムを提供する。【解決手段】分析装置本体３を利用するにあたり、携帯情報端末５からユーザ認証情報及び分析情報を出力するだけでよい。分析者は手動で分析装置本体３ごとにユーザ認証を行う必要がなく、単に携帯情報端末５からユーザ認証情報を出力させるだけでよい。その結果、ユーザ認証の手間を大幅に軽減することができる。また、分析データを分析者用コンピュータ１におくことができ、分析データの管理・解析が可能となる。したがって、低コスト・省スペース化を図ることができる。【選択図】        図１
2004279179.tif 000002
【特許請求の範囲】
【請求項１】
分析装置本体によって収集された分析データを分析者用コンピュータを用いて分析を行う分析システムであって、ユーザ認証情報を外部に出力する認証情報出力手段と、分析を行うために必要な分析情報を外部に出力する分析情報出力手段と、分析データを外部から受け取る分析データ受信手段とを備えた前記分析者用コンピュータと、ユーザ認証情報を外部から受け取り、そのユーザが使用許可ユーザであることの認証を行うユーザ認証手段と、分析に必要な分析情報を外部から受け取る分析情報受信手段と、前記分析情報に基づく分析データを外部に出力する分析データ出力手段とを備えた前記分析装置本体と、前記分析者用コンピュータから出力されたユーザ認証情報を受信する第１の受信手段と、前記分析者用コンピュータから出力された分析情報を受信する第２の受信手段と、前記分析装置本体から出力された分析データを受信する第３の受信手段と、前記第１の受信手段で受信したユーザ認証情報を外部に出力する第１の出力手段と、前記第２の受信手段で受信した分析情報を外部に出力する第２の出力手段と、前記第３の受信手段で受信した分析データを外部に出力する第３の出力手段とを備えた携帯情報端末とを備え、前記分析装置本体と前記分析者用コンピュータとの間におけるユーザ認証情報及び分析情報並びに分析データの受け渡しを前記携帯情報端末によって行うことを特徴とする分析システム。
【請求項２】
請求項１に記載の分析システムにおいて、前記分析装置本体及び前記分析者用コンピュータは、前記携帯情報端末を載置するクレードルを備え、クレードルを介して所要情報の受け渡しを行うことを特徴とする分析システム。
【請求項３】
請求項１または２に記載の分析システムにおいて、前記分析装置本体のユーザ認証手段は、装置を使用可能なユーザ認証情報を予め記憶している記憶手段を備え、外部から受け取ったユーザ認証情報と前記記憶手段に記憶されているユーザ認証情報とを比較して認証を行うことを特徴とする分析システム。
【発明の詳細な説明】
【０００１】
【発明の属する技術分野】
この発明は、ガスクロマトグラフや液体クロマトグラフなどの分析装置本体を用いて分析者が所望の分析を行い、その分析データを分析者用コンピュータによって分析する分析システムに関する。
【０００２】
【従来の技術】
従来、この種の分析システムとして、特開平３−２９８５７号公報に示すようなものが挙げられる。
【０００３】
【特許文献１】
特開平３−２９８５７号公報（第１図）
【０００４】
このような構成の装置では、分析装置本体ごとにコンピュータが備えられている。したがって、分析装置本体を用いて分析する際には、まず分析装置本体に付設されたコンピュータにて、分析者がキーボード等の入力手段を用いてユーザ認証情報を手動で入力する。すると、その分析装置本体の使用を許可されているユーザか否かのユーザ認証が行われ、許可されている場合には、分析に必要なパラメータ等である分析情報をそのユーザが入力する。そして、これらの入力が完了した後、分析装置本体を作動させて分析を行う。分析装置本体によって得られた分析データは、分析装置本体に付設のコンピュータに収集されているので、そのコンピュータを分析者が利用して解析する。
【０００５】
【発明が解決しようとする課題】
しかしながら、このような構成を有する従来例の場合には、次のような問題がある。
すなわち、従来の分析システムでは、分析装置本体を使用する度に分析者が手動でユーザ認証情報を入力する必要があり、また、分析のためのパラメータ等を含む分析情報の入力も分析装置本体ごとに行う必要があり、分析装置本体を使用するまでに非常に手間がかかるという問題がある。
【０００６】
その上、分析が完了した後も、分析データを解析するためには分析装置本体に付設されたコンピュータを用いるので、分析装置本体も同時に占有されてしまう。因みに、分析装置本体に付設されたコンピュータと別のコンピュータとをＬＡＮで接続する形態であっても、セキュリティの関係で、分析者個人が使用する分析者用コンピュータにまで分析データを容易に移動あるいはコピーすることはできないのが一般的である。
【０００７】
また、分析装置本体ごとにコンピュータを付設する必要があるので、分析システムとしてコストが嵩み、占有面積も大きくなるという問題がある。
【０００８】
この発明は、このような事情に鑑みてなされたものであって、携帯情報端末を利用することにより、低コスト化・省スペース化を図るとともに、ユーザ認証などの手間を簡略化し、分散している分析データを分析者用コンピュータで管理・解析が可能な分析システムを提供することを目的とする。
【０００９】
【課題を解決するための手段】
この発明は、このような目的を達成するために、次のような構成をとる。
すなわち、請求項１に記載の発明は、分析装置本体によって収集された分析データを分析者用コンピュータを用いて分析を行う分析システムであって、ユーザ認証情報を外部に出力する認証情報出力手段と、分析を行うために必要な分析情報を外部に出力する分析情報出力手段と、分析データを外部から受け取る分析データ受信手段とを備えた前記分析者用コンピュータと、ユーザ認証情報を外部から受け取り、そのユーザが使用許可ユーザであることの認証を行うユーザ認証手段と、分析に必要な分析情報を外部から受け取る分析情報受信手段と、前記分析情報に基づく分析データを外部に出力する分析データ出力手段とを備えた前記分析装置本体と、前記分析者用コンピュータから出力されたユーザ認証情報を受信する第１の受信手段と、前記分析者用コンピュータから出力された分析情報を受信する第２の受信手段と、前記分析装置本体から出力された分析データを受信する第３の受信手段と、前記第１の受信手段で受信したユーザ認証情報を外部に出力する第１の出力手段と、前記第２の受信手段で受信した分析情報を外部に出力する第２の出力手段と、前記第３の受信手段で受信した分析データを外部に出力する第３の出力手段とを備えた携帯情報端末とを備え、前記分析装置本体と前記分析者用コンピュータとの間におけるユーザ認証情報及び分析情報並びに分析データの受け渡しを前記携帯情報端末によって行うことを特徴とするものである。
【００１０】
（作用・効果）分析者用コンピュータの認証情報出力手段からユーザ認証情報を出力し、これを携帯情報端末の第１の受信手段が受け取る。さらに、分析情報出力手段から分析情報を出力し、これを携帯情報端末の第２の受信手段が受信する。分析者は、例えば、この携帯情報端末を持って分析装置本体がある場所に移動するとともに、その第１の出力手段からユーザ認証情報を出力するとともに、その第２の出力手段から分析情報を出力する。したがって、分析者は、手動で分析装置本体ごとにユーザ認証を行う必要がなく、単に携帯情報端末からユーザ認証情報を出力させるだけでよい。その結果、ユーザ認証の手間を大幅に軽減することができる。
【００１１】
分析装置本体は、そのユーザ認証手段でユーザ認証情報を受け取るとともにユーザ認証を行い、さらに分析情報を受け取る。分析装置本体は、分析者からの指示により、分析情報に基づいた分析を行うとともに、分析データを分析データ出力手段から出力する。この分析データは、携帯情報端末の第３の受信手段で受信される。分析者は、例えば、携帯情報端末を持って自分の分析者用コンピュータまで移動し、そこで第３の出力手段により分析データを出力する。分析者用コンピュータは、分析データ受信手段で分析データを受信する。したがって、分析装置本体に記憶されている分析データを分析者用コンピュータにおくことができ、管理・解析が可能となる。したがって、従来例のように分析装置本体に専用のコンピュータを設置する必要がなく、低コスト・省スペース化を図ることができる。
【００１２】
なお、携帯情報端末（ＰＤＡ：  Ｐｅｒｓｏｎａｌ  Ｄｉｇｉｔａｌ  Ａｓｓｉｓｔａｎｔとも称される）は可搬型の情報端末であって、分析者ごとに専用のものを有する形態でもよく、複数の分析者が共有する形態であってもよい。
【００１３】
また、この発明における携帯情報端末と分析装置本体及び分析者用コンピュータとのデータの受け渡しは、例えば、ＵＳＢインターフェイスを用いた有線による接触方式であっても、赤外線、ブルートゥース（商標）などの近距離無線を用いた非接触式であってもよい。また、ここにいうユーザ認識情報とは、例えば、ユーザＩＤとパスワードであり、分析情報とは分析装置本体で分析を実行する際に、装置を制御するのに必要となるパラメータ（例えば、電圧値または電圧値を対応する濃度情報等に変換するための情報）などである。
【００１４】
また、前記分析装置本体及び前記分析者用コンピュータは、前記携帯情報端末を載置するクレードルを備え、クレードルを介して所要情報の受け渡しを行うことが好ましい（請求項２）。
【００１５】
（作用・効果）クレードルに携帯情報端末をセットし、所要情報の受け渡しを指示するだけで、所要データの受け渡しが確実に行われる。
【００１６】
また、前記分析装置本体のユーザ認証手段は、装置を使用可能なユーザ認証情報を予め記憶している記憶手段を備え、外部から受け取ったユーザ認証情報と前記記憶手段に記憶されているユーザ認証情報とを比較して認証を行うことが好ましい（請求項３）。
【００１７】
【発明の実施の形態】
以下、図面を参照してこの発明の一実施例を説明する。
図１ないし図３はこの発明の一実施例に係り、図１は実施例に係る分析システム全体の概略構成を示すブロック図であり、図２は分析者用コンピュータの概略構成を示すブロック図であり、図３は分析装置本体の概略構成を示すブロック図である。
【００１８】
この分析システムは、分析者用コンピュータ１と、分析装置本体３と、携帯情報端末５とを備えている。これらはそれぞれ一台でもよいが、分析装置本体３を複数台備え、また分析者用コンピュータ１及び携帯情報端末３も分析者の数だけ備えるのが好ましい。分析者のデスクなどに配置されて、分析者が個人で自由に使用することができる分析者用コンピュータ１は、図示しないディスプレイ装置やキーボードなどを備える。さらに、ユーザ認証情報部７と、分析情報出力部９と、分析データ受信部１１とを備えている。
【００１９】
ユーザ認証情報部７は、ユーザ認証情報を記憶し、この分析者用コンピュータ１のユーザである分析者の指示により、そのユーザ認証情報を外部に出力する。ここにいうユーザ認証情報とは、ユーザＩＤ及びパスワードを含む情報のことである。
【００２０】
分析情報出力部９は、この分析者によって設定される分析情報を記憶し、分析者の指示により、その分析情報を外部に出力する。この分析情報は、分析装置本体３による分析に必要なパラメータ、制御データなどであり、例えば、電圧値または電圧値を対応する濃度情報等に変換するための情報が挙げられる。
【００２１】
分析データ受信部１１は、分析装置本体３で分析された結果である分析データを外部から受け取る。
【００２２】
なお、上述したユーザ認証情報部７がこの発明における認証情報出力手段に相当し、分析情報出力部９が分析情報出力手段に相当し、分析データ受信部１１が分析データ受信手段に相当する。
【００２３】
分析装置本体３は、例えば、ガスクロマトグラフや液体クロマトグラフなどであり、分析に係る構成に加えて、ユーザ認証部１３と、分析情報受信部１５と、分析データ出力部１７とを備えている。この分析装置本体３は、実験室などに配置され、上述した分析者用コンピュータ１とは離れた場所にある。
【００２４】
ユーザ認証部１３は、ユーザ認証情報を外部から受け取り、そのユーザが使用可能ユーザであるか否かについて認証を行う。なお、後述するように、この分析装置本体３の使用が許可されているユーザ認証情報を予め格納した記憶部（３５）（この発明における記憶手段に相当する）と、この記憶部（３５）のユーザ認識情報と、外部から受け取ったユーザ認識情報とを比較する比較部（３７）とを備えている。
【００２５】
分析情報受信部１５は、分析装置本体３が分析を行うのに必要な分析情報を外部から受け取る。この分析情報は、分析装置本体３が分析動作を行う際に利用される。
【００２６】
分析データ出力部１７は、分析者の指示により、分析情報に基づく分析動作を行って得られた分析データを外部に出力する。
【００２７】
なお、上述したユーザ認証情報部１３がこの発明におけるユーザ認証手段に相当し、分析情報受信部１５が分析情報受信手段に相当し、分析データ出力部１７が分析データ出力手段に相当する。
【００２８】
携帯情報端末５は、分析者によって自由に持ち歩ける形態を呈する。この携帯情報端末５は、分析者用コンピュータ１から出力されたユーザ認証情報を受信する受信部１９ｉと、受信したユーザ認証情報及び分析情報並びに分析データなどを記憶する記憶部２１と、ユーザ認証情報を外部に出力する出力部１９ｏと、分析者用コンピュータ１から出力された分析情報を受信する受信部２３ｉと、分析情報を外部に出力する出力部２３ｏと、分析装置本体３から出力された分析データを受信する受信部２５ｉと、分析データを外部に出力する出力部２５ｏとを備えている。
【００２９】
なお、上記の受信部１９ｉがこの発明における第１の受信手段に相当し、受信部２３ｉが第２の受信手段に相当し、受信部２５ｉが第３の受信手段に相当する。また、上記の出力部１９ｏが第１の出力手段に相当し、出力部２３ｏが第２の出力手段に相当し、出力部２５ｏが第３の出力手段に相当する。
【００３０】
図２に示すように、上述した分析者用コンピュータ１は、ユーザ認証部７と、分析情報出力部９と、分析データ受信部１１とを備えているが、さらにこれらと接続され、各種のデータを受け渡すためのＩ／Ｆ２７を備えている。このＩ／Ｆ２７には、ケーブル２９を介してクレードル３１が接続されている。このクレードル３１は、携帯情報端末５を載置するための凹部３１ａを備えており、この凹部３１ａに携帯情報端末５を載置することにより、携帯情報端末５との間でユーザ認証情報などの情報を受け渡すようになっている。情報の受け渡し開始は、クレードル３１の前面に備えられた指示ボタン３１ｂによって行われる。
【００３１】
なお、クレードル３１の凹部３１ａには、図示しないオスコネクタが設けられており、図示しない携帯情報端末５の底面に配備されたメスコネクタとの間で信号の授受が可能になっている。また、上記のＩ／Ｆ２７としては、ＵＳＢ（Ｕｎｉｖｅｒｓａｌ  Ｓｅｒｉａｌ  Ｂｕｓ）やＲＳ２３２Ｃなどのシリアルインターフェイス、またはパラレルインターフェイスなどが例示される。
【００３２】
図３に示すように、上述した分析装置本体３は、ユーザ認証部１３と、分析情報受信部１５と、分析データ出力部１７とを備えているが、さらにこれらと接続され、各種のデータを受け渡すためのＩ／Ｆ３３を備えている。このＩ／Ｆ３３には、上述した分析者用コンピュータ１と同様に、ケーブル２９を介してクレードル３１が接続されている。
【００３３】
ユーザ認証部１３は、記憶部３５と比較部３７を備えている。記憶部３５は、予め分析装置本体３ごとにユーザ認証情報を記憶している。具体的には、分析装置本体３を使用して分析を行うことが許可された分析者のユーザ認証情報を設定してある。比較部３７は、携帯情報端末３５から指示ボタン３１ｂが押下された時点で受信したユーザ認証情報と、記憶部３５にあるユーザ認証情報とを比較する。その結果、受信したユーザ認証情報がある場合には、分析装置本体３における分析が可能であるので、その後の分析情報を受信する等の処理及び分析動作並びに分析データの出力処理等を行うことができるようになっている。
【００３４】
次に、図４を参照して、上述した分析システムの動作について説明する。なお、図４は、処理の流れを示すフローチャートである。このフローチャートには、分析者自身が行う動作も含まれている。
【００３５】
ステップＳ１
分析者は、図示しないキーボード等の入力手段を操作して、分析者用コンピュータ１にユーザ認証情報と分析情報とを設定する。なお、ユーザ認証情報は、一度だけ設定すればよく、その後は分析情報だけを分析内容に応じて設定すればよい。
【００３６】
ステップＳ２
分析者は、携帯情報端末５を、分析者用コンピュータ１のクレードル３１に載置して指示ボタン３１ｂを押下する。すると、その携帯情報端末５に対して、分析者用コンピュータ１からユーザ認証情報と分析情報とが出力されるとともに、その情報が携帯情報端末５の記憶部２１に記憶される。
【００３７】
ステップＳ３
分析者は、所望の分析が可能な分析装置本体３がある場所までその携帯情報端末５を持って移動するとともに、それに接続されているクレードル３１に載置する。さらに、クレードル３１の指示ボタン３１ｂを押下する。これにより、携帯情報端末５の記憶部２１に記憶されているユーザ認証情報と分析情報とが、分析装置本体３に出力される。
【００３８】
なお、ユーザ認証に失敗した場合には、分析情報の受信が拒否されるとともに、そのことが図示しない分析装置本体３の表示部に表示されるようにするのが好ましい。
【００３９】
ステップＳ４
分析者は、分析装置本体３に試料などを設定するとともに、分析の開始を指示する。分析装置本体３は、受け取っている分析情報に応じて分析動作を行うとともに分析データを収集する。
【００４０】
ステップＳ５
分析者は、分析装置本体３のクレードル３１の指示ボタン３１ｂを押下する。これにより分析装置本体３に収集されている分析データが携帯情報端末５に対して出力される。分析データは、携帯情報端末５の記憶部２１に記憶される。
【００４１】
ステップＳ６
携帯情報端末５を自分の分析者用コンピュータ１がある場所に持ち帰り、そのクレードル３１に載置する。そして、指示ボタン３１ｂを押下する。すると、記憶部２１に記憶されている分析データが、分析者用コンピュータ１に対して出力される。
【００４２】
ステップＳ７
分析者は、分析者用コンピュータ１に受信された分析データを管理するとともに、必要に応じて分析データに対して処理を行って分析を行う。
【００４３】
上述したように、分析装置本体３を利用するにあたって、携帯情報端末５からユーザ認証情報及び分析情報を出力するだけでよい。したがって、分析者は、手動で分析装置本体３ごとにユーザ認証を行う必要がなく、単に携帯情報端末５からユーザ認証情報を出力させるだけでよい。その結果、ユーザ認証の手間を大幅に軽減することができる。
【００４４】
また、携帯情報端末５により、分析装置本体３に記憶されている分析データを分析者用コンピュータ１におくことができ、分析データの管理・解析が可能となる。したがって、従来例のように分析装置本体３に専用のコンピュータを設置する必要がなく、低コスト・省スペース化を図ることができる。さらに、分析時には分析装置本体３を占有しないので、高価な分析装置本体３の稼働率を向上させることができる。
【００４５】
なお、この発明は上述した実施例に限定されるものではなく、以下のように変形実施が可能である。
【００４６】
（１）クレードル３１は必須ではなく、例えば、ケーブル２９端部に設けられたコネクタを直接的に携帯情報端末５に接続する形態であってもよい。この場合には、情報の授受を携帯情報端末５から指示したり、分析者用コンピュータ１や分析装置本体５から指示したりすればよい。
【００４７】
（２）携帯情報端末５と、分析者用コンピュータ１及び分析装置本体３との間における情報の受け渡しは、上述した有線による接触方式に限定されるものではない。例えば、赤外線、ブルートゥース（商標）などの近距離無線を用いた無線であってもよい。
【００４８】
（３）分析装置本体３は、上述したガスクロマトグラフや液体クロマトグラフに限定されるものではなく、これらとは異なる他の分析装置であってもよい。
【００４９】
【発明の効果】
以上の説明から明らかなように、この発明によれば、分析装置本体を利用するにあたって、携帯情報端末の第１の出力手段からユーザ認証情報を出力するとともに、その第２の出力手段から分析情報を出力するだけでよい。したがって、分析者は、手動で分析装置本体ごとにユーザ認証を行う必要がなく、単に携帯情報端末からユーザ認証情報を出力させるだけでよい。その結果、ユーザ認証の手間を大幅に軽減することができる。
【００５０】
また、携帯情報端末により、分析装置本体に記憶されている分析データを分析者用コンピュータにおくことができ、分析データの管理・解析が可能となる。したがって、従来例のように分析装置本体に専用のコンピュータを設置する必要がなく、低コスト・省スペース化を図ることができる。
【図面の簡単な説明】
【図１】実施例に係る分析システム全体の概略構成を示すブロック図である。
【図２】分析者用コンピュータの概略構成を示すブロック図である。
【図３】分析装置本体の概略構成を示すブロック図である。
【図４】処理の流れを示すフローチャートである。
【符号の説明】
１  …  分析者用コンピュータ
３  …  分析装置本体
５  …  携帯情報端末
７  …  ユーザ認証情報部（認証情報出力手段）
９  …  分析情報出力部（分析情報出力手段）
１１  …  分析データ受信部（分析データ受信手段）
１３  …  ユーザ認証部（ユーザ認証手段）
１５  …  分析情報受信部（分析情報受信手段）
１７  …  分析データ出力（分析データ出力手段）
１９ｉ  …  受信部（第１の受信手段）
１９ｏ  …  出力部（第１の出力手段）
２１  …  記憶部
２３ｉ  …  受信部（第２の受信手段）
２３ｏ  …  出力部（第２の出力手段）
２５ｉ  …  受信部（第３の受信手段）
２５ｏ  …  出力部（第３の出力手段）
２７，３３  …  Ｉ／Ｆ
３１  …  クレードル
【図１】
2004279179.tif 000003
【図２】
2004279179.tif 000004
【図３】
2004279179.tif 000005
【図４】
2004279179.tif 000006